(57)【要約】【課題】伸びが少なく高感度で細くて直線強力の剛い釣糸ａと、太いが柔らかくて衝撃力に強い釣糸ｂを、繋ぎ目を大きくすることなく、結び目で応力集中させないように摩擦力で特性の異なる釣糸を繋ぐ、ミッドノットという繋ぎ方を、簡単に、素早く行える、軽量で携帯性に優れた釣糸結び器を提供する。【解決手段】柔らかい釣糸ｂ５を、第１または第２の螺旋形状の巻付け操作部１および２に貫通させ、螺旋形状の巻付け操作部の螺旋に、細い釣糸ａ６を沿わせながら巻付けることで、手探りでも、柔らかい釣糸ｂ５に、細い釣糸ａ６を、多数回整列巻付けさせることが可能となり、ミッドノット繋ぎが簡単にできる。【選択図】図４
0003149370.tif 000002
【実用新案登録請求の範囲】
【請求項１】
太くて柔らかい釣糸ｂに、細くて剛い釣糸ａを、多数回整列巻付けする第１の螺旋形状をした巻付け操作部と、第１とは逆方向の螺旋形状をした第２の巻付け操作部と、本体と釣糸ａおよび釣糸ｂを一緒に親指と人差し指で把持し、巻付け操作時の支持をする把持部で構成される本体形状を特長とする釣糸結び器。
【請求項２】
携帯性の向上の観点から、携帯電話のストラップ代わりや、ネックレスとして首から掛けることなどができるように、把持部の端部にストラップ等の取付け穴を有する請求項１記載の釣糸結び器。
【考案の詳細な説明】
【技術分野】
【０００１】本考案は、特性の異なる２本の釣糸を繋ぐための機器に関するものである。
【背景技術】
【０００２】釣りにおいて、特にルアーやジグなどといった擬餌針を使用する釣りでは、擬餌針を自然に操るために、伸びが少なく高感度で細くて直線強力の剛い釣糸ａを主体に使用するが、衝撃力に弱い欠点を補うため、太いが柔らかくて衝撃力に強い釣糸ｂと繋げて、互いの釣糸の長所を組み合わせて使用している。釣糸は滑りやすく結びにくいだけでなく、単に２本の釣糸を結びつけるだけでは結び目に応力が集中して結び目で切れやすい。【０００３】そのため、太いが柔らかくて衝撃力に強い釣糸ｂに、細くて直線強力の剛い釣糸ａを多数回（１５回から２０回程度）巻付け、応力分散を行い、互いの摩擦力で特性の異なる釣糸を繋ぐ、ミッドノットという繋ぎ方を行っている。【０００４】しかしこの繋ぎ方は、柔らかい釣糸ｂを張った状態で保持し、細い釣糸ａを多数回巻付ける必要があり、一人で行うには困難で、ましてや揺れる船上や足場の悪い釣り場での作業は、巻付けが不均一となり結合力が弱くなったり、作業に手間取る等の不都合があった。【０００５】釣糸を結ぶ機器としては、例えば特許文献１および実用新案文献２があるが、これらは電車結び、または直結結びといわれるもので、繋ぐ互いの釣糸を重ね合わせ、それぞれの釣糸の自由端を輪状にし、その輪の内側を重ねた別の釣糸を含め数回巻付けて絞り、結び目を作って繋ぐものである。また、特許文献３に当該ミッドノットという繋ぎ方ができる電動釣糸結び器が開示されている。
【特許文献１】特許公開平５−１０３５７０号公報
【実用新案文献２】
登録実用新案第３１１９５９３号公報
【特許文献３】特許公開２００５−１６０４４４号公報
【考案の開示】
【考案が解決しようとする課題】
【０００６】しかし、特許文献１および実用新案文献２の電車結びによる繋ぎ方は、応力分散して摩擦力により繋ぐミッドノットとは異なり、結び目により繋ぐ方法であることから、結び目に応力が集中して結び目で切れやすい。さらに太くて柔らかい釣糸ｂの結び目は太いがために大きくなり、釣竿の糸ガイドを通過しにくくなる不都合も生じる。また、特許文献３は太くて柔らかい釣糸ｂを張った状態で回転させ、細い釣糸ａを巻き取る方法で巻付けを行っているが、整列巻付けを行うためには目視による確認が不可欠となり、弱視や老眼の場合はもとより、揺れる船上や薄暗い夜明けや夜釣りでは困難である。さらに電動式であるため釣行前に常に電池残量などの確認が必要で、釣り場で電池が切れると使用できなくなる。また、海釣りでは塩分による電気系統の腐食が早く寿命が短い。まして本体への海水の進入は致命的であり、釣り場での使用には適していない。【０００７】本考案は、繋ぎ目を大きくすることなく、摩擦力で特性の異なる釣糸を繋ぐ、ミッドノットという繋ぎ方を行う上で、困難である柔らかい釣糸ｂに、細い釣糸ａを多数回整列巻付けする作業を、弱視や老眼の方を含む誰もが、簡単に、素早く、均一に行え、しかも釣り場での使用に適するよう構造が簡単で、故障がなく、軽量で、携帯性に優れ、海水に水没しても問題のない、低原価で量産に適した、多くの釣り人に愛用していただける釣糸結び器を提供することを目的とする。
【課題を解決するための手段】
【０００８】上記課題を解決するため、本考案の釣糸結び器は、柔らかい釣糸ｂに、細い釣糸ａを、多数回整列巻付けする第１の螺旋形状をした巻付け操作部と、第１とは逆方向の螺旋形状をした第２の巻付け操作部と、本体と釣糸ａおよび釣糸ｂを一緒に親指と人差し指で把持し、巻付け操作時の支持をする把持部で構成されている。【０００９】これにより、柔らかい釣糸ｂを、第１または第２の螺旋形状の巻付け操作部に貫通させ、把持部で本体と釣糸ｂを一緒に把持することにより、柔らかい釣糸ｂが真直ぐに張った状態で保持でき、螺旋形状の巻付け操作部の螺旋に細い釣糸ａを沿わせながら巻付けることで、手探りでも整列巻付けが可能となる。
【考案の効果】
【００１０】第１および第２の巻付け操作部を螺旋形状にすることにより、柔らかい釣糸ｂをその中心に貫通させ、把持部で本体と釣糸ｂを一緒に把持することにより、釣糸ｂの曲げ剛性を利用して釣糸ｂを真直ぐに保持させることが可能となる。【００１１】また、巻付け操作部が螺旋形状であるので、細い釣糸ａを、柔らかい釣糸ｂに、その巻付け操作部の螺旋に沿わせて巻付けることで、螺旋の巻き数の分、手探りでも簡単に多数回整列巻付けを行うことが可能となる。【００１２】さらに、構造が簡単であるため故障が無く、軽量で携帯性に優れており、ステンレスやアルミ等の金属、またはプラスチック等を材料として製造できるので、海水に水没しても水洗いのみ施せば長年使用が可能であり、製造原価も安価で量産に優れている。
【考案を実施するための最良の形態】
【００１３】以下、本考案の実施の形態について、図面を参照しながら説明する。
【実施例】
【００１４】図１は本考案の一実施例における釣糸結び器の平面外観図であり、図２は側面外観図である。第１の螺旋形状をした巻付け操作部１と、第１とは逆方向の螺旋形状をした第２の巻付け操作部２と、本体と繋ぎ合わせる釣糸ａおよび釣糸ｂを一緒に親指と人差し指で把持し、巻付け操作時の支持をする把持部で構成され、把持部は第１の巻付け操作部１用の３ａと、第２の巻付け操作部２用の３ｂからなる。また、携帯性の向上の観点から、携帯電話のストラップ代わりや、ネックレスとして首から掛けることなどができるように、把持部の端部にストラップ等の取付け穴４を設けている。【００１５】第１の巻付け操作部１および第２の巻付け操作部２の形状を、螺旋形状とすることにより、柔らかい釣糸ｂを、その中心に貫通させることで、釣糸ｂの曲げ剛性を利用して釣糸ｂを真直ぐに保持させる機能と、細い釣糸ａを、柔らかい釣糸ｂに、多数回整列巻付けを手探りでも簡単に行うことを可能とする、両方の機能をあわせ持つことができる。【００１６】図３、図４、図５、図６、および図７は、上記実施例の釣糸結び器を使用して、柔らかい釣糸ｂ５に、細い釣糸ａ６を多数回（１５回から２０回程度）巻付け、釣糸を繋ぐミッドノットという繋ぎ方を行っている手順を説明したものであり、図３は釣糸の取り付け状態図、図４は第１の巻付け操作部１での釣糸巻付け状態図、図５は第２の巻付け操作部２への誘導状態図、図６は第２の巻付け操作部２での釣糸巻付け状態図、図７は釣糸解け防止処理および完成図である。【００１７】図３に示すように、第１の巻付け操作部１および第２の巻付け操作部２の螺旋形状の中へ、第１の巻付け操作部１側から柔らかい釣糸ｂ５を挿入し、第２の巻付け操作部２側から細い釣糸ａ６を第２の巻付け操作部２の中へ挿入し、巻付け準備を行う。【００１８】図４に示すように、第１の巻付け操作部１用の把持部３ａと、繋ぎ合わせる釣糸ａ６および釣糸ｂ５を一緒に親指と人差し指で把持し、第１の巻付け操作部の螺旋に沿わせて釣糸ａ６を巻付けることで、螺旋の巻き数の分、手探りでも簡単に多数回整列巻付けを行うことができる。【００１９】次に、釣糸ｂ５に釣糸ａ６を巻付けた状態のまま、図５に示すように、巻付けた部分を第２の巻付け操作部２の螺旋形状の中へ誘導する。【００２０】次に図６に示すように、第２の巻付け操作部２用の把持部３ｂと、釣糸ａ６および釣糸ｂ５を一緒に親指と人差し指で把持し、第２の巻付け操作部の螺旋に沿わせて釣糸ａ６を巻付けることで、螺旋の巻き数の分、手探りでも簡単に重ね巻きを行うことができる。【００２１】最後に図７に示すように、第２の巻付け操作部２の螺旋の中から巻付けを行った箇所を引き出し、ハーフヒッチ結びを１０回程度繰り返し解け防止処理を行い、釣糸ｂ５と釣糸ａ６を互いに引っ張り、前記巻付けを密にしめあげ、釣糸ｂ５の余分な端部を切断除去することで完成する。
【図面の簡単な説明】
【００２２】
【図１】本考案の一実施例における釣糸結び器の平面外観図
【図２】上記実施例における釣糸結び器の側面外観図
【図３】上記実施例における釣糸結び器使用方法の説明図（釣糸の取り付け状態図）
【図４】上記実施例における釣糸結び器使用方法の説明図（第１の巻付け操作部１での釣糸巻付け状態図）
【図５】上記実施例における釣糸結び器使用方法の説明図（第２の巻付け操作部２への誘導状態図）
【図６】上記実施例における釣糸結び器使用方法の説明図（第２の巻付け操作部２での釣糸巻付け状態図）
【図７】上記実施例における釣糸結び器使用方法の説明図（釣糸解け防止処理および完成図）
【符号の説明】
【００２３】  １第１の巻付け操作部
２第２の巻付け操作部
３ａ第１の巻付け操作部１用の把持部
３ｂ第２の巻付け操作部２用の把持部
４ストラップ等の取付け穴
５釣糸ｂ
６釣糸ａ
【図１】
0003149370.tif 000003
【図２】
0003149370.tif 000004
【図３】
0003149370.tif 000005
【図４】
0003149370.tif 000006
【図５】
0003149370.tif 000007
【図６】
0003149370.tif 000008
【図７】
0003149370.tif 000009